(57)【要約】【課題】  同一空間に存在する複数のユーザが、煩わしい操作を行うことなく、好みの共通する曲を再生することのできる音楽再生装置、音楽再生システム、音楽再生方法及び音楽再生プログラムを提供することを目的とする。【解決手段】  音楽データが格納される音楽データ格納部１０２と、格納された音楽データに基づく曲を再生する音楽再生部１０４と、格納されている音楽データにより表される曲の属性を表す格納曲情報が格納される曲情報格納部１０３と、再生された曲の属性を表す再生曲情報を送信する再生曲情報送信部１０５と、再生履歴収集装置１１からの再生履歴情報を受信する再生履歴受信部１０７と、格納されている格納曲情報と受信した再生履歴情報とを比較し、属性が一致する曲から構成されるプレイリストを作成するプレイリスト作成部１０８と、装置全体の動作を制御する制御部１０１とを備えた。【選択図】        図１
2008304774.tif 000002
【特許請求の範囲】
【請求項１】
一または複数のユーザの過去に再生された曲の属性を表す再生曲情報を、記録している外部の装置から、一または複数の再生履歴情報をユーザＩＤと共に受信する再生曲情報受信部と、
前記再生曲情報受信部で受信された前記再生曲情報を前記ユーザＩＤに対応づけて記録することにより各ユーザごとの再生履歴情報を格納する再生履歴格納部と、
ユーザを特定した再生履歴情報の送信要求を受けて該ユーザの再生履歴情報を送信する再生履歴送信部とを備えた再生履歴収集装置と、
曲を表す音楽データが格納される音楽データ格納部と、
該音楽データ格納部に格納された音楽データに基づく曲を再生する音楽再生部と、
前記音楽データ格納部に格納されている音楽データにより表される曲の属性を表す格納曲情報が格納される曲情報格納部と、
前記音楽再生部で再生された曲の属性を表す再生曲情報を送信する再生曲情報送信部と、
前記再生履歴収集装置から送信されてきた再生履歴情報を受信する再生履歴受信部と、
前記曲情報格納部に格納されている格納曲情報と前記再生履歴受信部で受信した再生履歴情報とを比較して、前記音楽データ格納部に音楽データが格納されている曲の中から所定の条件で曲を選択し、該選択された曲で構成されるプレイリストを作成するプレイリスト作成部と、
前記音楽再生部に、前記プレイリスト作成部で作成されたプレイリストに従って曲を再生させる曲再生制御部とを備える音楽再生装置とを具備することを特徴とする音楽再生システム。
【請求項２】
前記音楽再生装置と前記再生履歴収集装置との間の通信を仲介する携帯端末であって、
前記音楽再生装置から前記再生曲情報を受け取って前記再生履歴収集装置に送信する再生曲情報転送部と、
前記再生履歴収集装置に、ユーザを特定した再生履歴送信要求を行う再生履歴送信要求部と、
前記再生履歴収集装置から前記再生履歴情報を受け取って前記音楽再生装置に送信する再生履歴転送部とを備えた携帯端末をさらに具備することを特徴とする請求項１記載の音楽再生システム。
【請求項３】
各ユーザの過去に再生された曲の属性を表す再生曲情報を、ユーザＩＤと共に受信する再生曲情報受信部と、
前記再生曲情報受信部で受信された再生曲情報を前記ユーザＩＤに対応づけて記録することにより各ユーザごとの再生履歴情報を格納する再生履歴格納部と、
一方の曲を再生したユーザは他方の曲を再生する可能性が高いという嗜好の類似度を表す嗜好類似情報が予め格納されている嗜好類似情報格納部と、
音楽再生装置から送信されてきた前記格納曲情報を受信する格納曲情報受信部と、
ユーザを特定したプレイリストの送信要求を受けて、前記再生履歴格納部に格納されている該ユーザの再生履歴情報と前記嗜好類似情報格納部に格納されている嗜好類似情報とを参照して、前記格納曲情報受信部で受信した格納曲情報により表される曲の中から、所定の条件で曲を選択し、選択された該ユーザの嗜好に適合した曲から構成されるプレイリストを生成するプレイリスト生成部と、
前記プレイリスト生成部で生成されたプレイリストを送信するプレイリスト送信部とを備えた再生履歴収集装置と、
曲を表す音楽データが格納される音楽データ格納部と、
該音楽データ格納部に格納された音楽データに基づく曲を再生する音楽再生部と、
前記音楽再生部で再生された曲の属性を表す再生曲情報を送信する再生曲情報送信部と、
前記音楽データ格納部に格納されている音楽データにより表される曲の属性を表す格納曲情報が格納される曲情報格納部と、
前記曲情報格納部に格納されている格納曲情報を送信する格納曲情報送信部と、
前記再生履歴収集装置から送信されてきたプレイリストを受信するプレイリスト受信部と、
前記音楽再生部に、前記プレイリスト受信部で受信したプレイリストに従って曲を再生させる曲再生制御部とを備えた音楽再生装置とを具備することを特徴とする音楽再生システム。
【請求項４】
前記音楽再生装置と前記再生履歴収集装置との間の通信を仲介する携帯端末であって、
前記音楽再生装置から前記再生曲情報を受け取って前記再生履歴収集装置に送信する再生曲情報転送部と、
前記音楽再生装置から前記格納曲情報を受け取って前記再生履歴収集装置に送信する格納曲情報転送部と、
前記再生履歴収集装置に、ユーザを特定したプレイリストの送信要求を行うプレイリスト送信要求部と、
前記再生履歴収集装置からプレイリストを受け取って前記音楽再生装置に送信するプレイリスト転送部とを備えた携帯端末をさらに具備することを特徴とする請求項３記載の音楽再生システム。
【請求項５】
曲を表す音楽データが格納される第２の音楽データ格納部と、該第２の音楽データ格納部に格納された音楽データに基づく曲を再生する音楽再生部と、再生された曲の属性を表す再生曲リストが格納される再生曲リスト格納部と、前記音楽再生装置に向けて前記再生曲リスト格納部に格納されている再生曲リストを送信する再生曲リスト送信部とを備えた携帯端末と、
曲を表す音楽データが格納される第１の音楽データ格納部と、
該第１の音楽データ格納部に格納された音楽データに基づく曲を再生する音楽再生部と、
前記第１の音楽データ格納部に格納されている音楽データにより表される曲の属性を表す格納曲情報が格納される曲情報格納部と、
前記携帯端末から送信されてきた再生曲リストを受信する再生曲リスト受信部と、
前記曲情報格納部に格納されている格納曲情報と前記再生曲リスト受信部で受信した再生曲リストとを比較して、前記音楽データ格納部に音楽データが格納されている曲の中から選択された曲で構成されるプレイリストを作成するプレイリスト作成部と、
前記音楽再生部に、前記プレイリスト作成部で作成したプレイリストに従って曲を再生させる曲再生制御部とを備えた音楽再生装置とを具備することを特徴とする音楽再生システム。
【請求項６】
曲を表す音楽データが格納される音楽データ格納部と、該音楽データ格納部に格納された音楽データに基づく曲を再生する音楽再生部とを備えた音楽再生装置において、
前記音楽データ格納部に格納されている音楽データにより表される曲の属性を表す格納曲情報が格納される曲情報格納部と、
過去に再生された曲の属性を表す再生履歴情報を記録している外部の装置から、一または複数の再生履歴情報を、ユーザＩＤと共に受信する再生履歴受信部と、
前記曲情報格納部に格納されている格納曲情報と前記再生履歴受信部で受信した再生履歴情報とを比較して、前記音楽データ格納部に音楽データが格納されている曲の中から所定の条件で、曲を選択し、該選択された曲で構成されるプレイリストを作成するプレイリスト作成部と、
前記音楽再生部に、前記プレイリスト作成部で作成されたプレイリストに従って曲を再生させる曲再生制御部とを備えたことを特徴とする音楽再生装置。
【請求項７】
曲を表す音楽データが格納される音楽データ格納部と、該音楽データ格納部に格納された音楽データに基づく曲を再生する音楽再生部とを備えた音楽再生装置において、
前記音楽データ格納部に格納されている音楽データにより表される曲の属性を表す格納曲情報が格納される曲情報格納部と、
前記曲情報格納部に格納されている格納曲情報を送信する格納曲情報送信部と、
前記格納曲情報を受信してプレイリストを作成する外部の装置から、前記音楽データ格納部に音楽データが格納されている曲の中から選択された曲から構成されるプレイリストを受信するプレイリスト受信部と、
前記音楽再生部に、前記プレイリスト受信部で受信されたプレイリストに従って曲を再生させる曲再生制御部とを備えたことを特徴とする音楽再生装置。
【請求項８】
前記音楽再生部で再生された曲の属性を表す再生曲情報を送信する再生曲情報送信部をさらに備えたことを特徴とする請求項６又は７記載の音楽再生装置。
【請求項９】
音楽再生装置が音楽を再生する音楽再生方法であって、
曲を表す音楽データを予め記憶するステップと、
前記記憶されている音楽データにより表される曲の属性を表す曲情報を予め記憶するステップと、
過去に再生された曲の属性を表す再生履歴情報を記録している外部の装置から、一または複数の再生履歴情報を、ユーザＩＤと共に受信するステップと、
前記曲情報と前記受信した再生履歴情報とを比較して、記憶されている前記音楽データの曲の中から所定の条件で、曲を選択し、該選択された曲で構成されるプレイリストを作成するステップと、
前記音楽データに基づいて、前記作成されたプレイリストに従って曲を再生させる曲を再生するステップから構成される音楽再生方法。
【請求項１０】
音楽再生装置内で実行される音楽再生プログラムであって、
音楽再生装置に、
曲を表す音楽データを記憶する手順と、
前記記憶されている音楽データにより表される曲の属性を表す曲情報を記憶する手順と、
過去に再生された曲の属性を表す再生履歴情報を記録している外部の装置から、一または複数の再生履歴情報を、ユーザＩＤと共に受信する手順と、
前記曲情報と前記受信した再生履歴情報とを比較して、記憶されている前記音楽データの曲の中から所定の条件で、曲を選択し、該選択された曲で構成されるプレイリストを作成する手順と、
前記音楽データに基づいて、前記作成されたプレイリストに従って曲を再生させる曲を再生する手順と
を実行させるための音楽再生プログラム。
【発明の詳細な説明】
【技術分野】
【０００１】
本発明は、複数のユーザが好みの音楽を簡単に楽しむことのできる音楽再生装置、音楽再生システム、音楽再生方法及び音楽再生プログラムに関する。
【背景技術】
【０００２】
例えば、車両等に搭載された音楽再生装置などを用いて音楽を楽しむために、ハードディスクなどの記憶媒体に音楽データを格納しておき、その中から好みの曲を選んで再生することのできるカーナビゲーションシステムやカーオーディオシステムが知られている。また、フラッシュメモリやハードディスクなどに格納された音楽データを再生することのできるメモリプレイヤや音楽再生機能付き携帯電話機などの携帯型音楽再生装置も広く普及しつつある。さらに、携帯型音楽再生装置に格納されている音楽データを、有線又は無線でカーナビゲーションシステムやカーオーディオシステムに送信し、車載のスピーカで音楽を再生する技術なども実用化されている。
【０００３】
最近のカーナビゲーションシステムやカーオーディオシステムなどに搭載されるフラッシュメモリやハードディスクは大容量化し膨大な音楽データを格納することが可能になっている。ユーザはその膨大な音楽データの中から聴きたい曲を選択することで、車内で音楽を楽しむことができる。同乗者が存在しない場合は、その車両の所有者は、その音楽再生装置にどのような音楽データが格納されているかを知っており、また、音楽再生装置には、車両の所有者の好みの曲の音楽データが多く格納されているため、車両の所有者にとっては、自分の聴きたい曲を選択することはそう難しいことではない。一方で、同乗者が存在する場合は、車両の所有者だけでなく同乗者も車内で音楽を楽しめるように、同乗者の好みを反映した曲を選択することが必要となる。しかしながら、同乗者は、その音楽再生装置にどのような音楽データが格納されているかを知らず、また、音楽再生装置には、同乗者の好みの曲の音楽データがあまり格納されていないため、膨大な音楽データに対する曲の属性（例えば、アーティスト名やジャンル名など）を一覧するためのスクロール操作を繰り返す等して、好みに合う曲を見つけ出す操作を行わなければならない。このように、同乗者の好みを反映した曲を選択する操作は非常に煩雑である。ユーザは好みの曲を見つけ出すための煩雑な操作のために選曲を行わなくなり、その結果、例えば助手席の人は車内で音楽を楽しむことが阻害されるという問題がある。
【０００４】
車両所有者以外の同乗者が、車載の音楽再生装置で自分の好みの曲を再生する方法として、同乗者が所持している携帯型音楽再生装置を、その車載音楽再生装置と接続して、携帯型音楽再生装置に格納されている音楽データをその車載音楽再生装置に送信し、その車載音楽再生装置で再生させることが考えられる。しかしながら、その場合は、携帯型音楽再生装置を所有する同乗者以外は、自分の好みの曲が再生されないという同様の問題が発生する。つまり、同一の空間に存在する複数のユーザの好みの共通する曲を再生するには非常に手間がかかり、困難である。
【０００５】
従来、ＳＮＳ（Ｓｏｃｉａｌ  Ｎｅｔｗｏｒｋ  Ｓｅｒｖｉｃｅ）などの分野において、ユーザの好みの曲をサーバにアップロードして公開することにより、音楽的な好みの類似したユーザを見つけたり、好みが類似した音楽データをサーバからダウンロードしたりするサービスが知られている。この技術では、他のユーザの好みの音楽を知ることはできるが、この技術を応用して、同一空間に存在する複数のユーザの好みの共通する曲を再生するという使い方は想定されていない。
【０００６】
そのほかに、例えば、特許文献１には、インターネットで提供されるチャットシステムを利用して、サーバ上に蓄積された音楽データを複数のユーザで同時に再生できるようにした音楽再生装置が開示されている。
しかしながら、この特許文献１に開示された音楽再生装置は、サーバに接続しているクライアントユーザが、元々、音楽的な好みが類似しているユーザばかりであることを前提としており、システム側で、同一空間に存在する複数のユーザの好みの共通する曲を選択して、再生するような制御は行っていない。
【０００７】
また、特許文献２には、ユーザによって設定された、検索の基礎となる代表曲と、検索対象となる複数の楽曲とを類似度に基づいて比較し、その比較結果に基づいて楽曲を選択し、再生する楽曲検索装置が開示されている。しかし、この楽曲検索装置では、音楽データベースに保存されている楽曲の中から好みの楽曲に類似した楽曲を選択し再生することはできるが、代表曲設定という煩わしい操作を行わなければ同一空間に存在する複数のユーザの好みの共通する曲を再生することができないという問題がある。
【特許文献１】特開２００１−１８４２９２号公報
【特許文献２】特開２００４−１７１０９６号公報
【発明の開示】
【発明が解決しようとする課題】
【０００８】
本発明は上記事情に鑑み、煩わしい操作を必要とせず、同一空間に存在する複数のユーザの好みの共通する曲を再生することのできる音楽再生装置、音楽再生システム、音楽再生方法及び音楽再生プログラムを提供することを目的とする。
【課題を解決するための手段】
【０００９】
上記目的を達成する本発明の第１の音楽再生システムは、一または複数のユーザの過去に再生された曲の属性を表す再生曲情報を、記録している外部の装置から、一または複数の再生履歴情報をユーザＩＤと共に受信する再生曲情報受信部と、上記再生曲情報受信部で受信された上記再生曲情報を上記ユーザＩＤに対応づけて記録することにより各ユーザごとの再生履歴情報を格納する再生履歴格納部と、ユーザを特定した再生履歴情報の送信要求を受けて該ユーザの再生履歴情報を送信する再生履歴送信部とを備えた再生履歴収集装置と、曲を表す音楽データが格納される音楽データ格納部と、該音楽データ格納部に格納された音楽データに基づく曲を再生する音楽再生部と、上記音楽データ格納部に格納されている音楽データにより表される曲の属性を表す格納曲情報が格納される曲情報格納部と、上記音楽再生部で再生された曲の属性を表す再生曲情報を送信する再生曲情報送信部と、上記再生履歴収集装置から送信されてきた再生履歴情報を受信する再生履歴受信部と、上記曲情報格納部に格納されている格納曲情報と上記再生履歴受信部で受信した再生履歴情報とを比較して、上記音楽データ格納部に音楽データが格納されている曲の中から所定の条件で曲を選択し、該選択された曲で構成されるプレイリストを作成するプレイリスト作成部と、上記音楽再生部に、上記プレイリスト作成部で作成されたプレイリストに従って曲を再生させる曲再生制御部とを備える音楽再生装置とを具備することを特徴とする。
【００１０】
本発明の第１の音楽再生システムによれば、音楽再生装置に格納されている格納曲情報と、再生履歴収集装置から受信した再生履歴情報とに基づいて作成されたプレイリストに従って曲を再生することができるので、この音楽再生装置の所有者を含む同一空間に存在する複数のユーザが、煩わしい操作を行うことなく、好みの共通する曲を再生することのできる音楽再生システムを実現することができる。
【００１１】
ここで、本発明の第１の音楽再生システムが、上記音楽再生装置と上記再生履歴収集装置との間の通信を仲介する携帯端末であって、上記音楽再生装置から上記再生曲情報を受け取って上記再生履歴収集装置に送信する再生曲情報転送部と、上記再生履歴収集装置に、ユーザを特定した再生履歴送信要求を行う再生履歴送信要求部と、上記再生履歴収集装置から上記再生履歴情報を受け取って上記音楽再生装置に送信する再生履歴転送部とを備えた携帯端末をさらに具備するものであってもよい。
【００１２】
本発明の第１の音楽再生システムを上記のように構成した場合は、上記の携帯端末を具備したことによって、音楽再生装置と再生履歴収集装置との間でユーザを特定した再生履歴情報の送受信を行うことができるので、取り扱いの容易な音楽再生システムとすることができる。
【００１３】
また、上記目的を達成する本発明の第２の音楽再生システムは、各ユーザの過去に再生された曲の属性を表す再生曲情報を、ユーザＩＤと共に受信する再生曲情報受信部と、上記再生曲情報受信部で受信された再生曲情報を上記ユーザＩＤに対応づけて記録することにより各ユーザごとの再生履歴情報を格納する再生履歴格納部と、一方の曲を再生したユーザは他方の曲を再生する可能性が高いという嗜好の類似度を表す嗜好類似情報が予め格納されている嗜好類似情報格納部と、音楽再生装置から送信されてきた上記格納曲情報を受信する格納曲情報受信部と、ユーザを特定したプレイリストの送信要求を受けて、上記再生履歴格納部に格納されている該ユーザの再生履歴情報と上記嗜好類似情報格納部に格納されている嗜好類似情報とを参照して、上記格納曲情報受信部で受信した格納曲情報により表される曲の中から、所定の条件で曲を選択し、選択された該ユーザの嗜好に適合した曲から構成されるプレイリストを生成するプレイリスト生成部と、上記プレイリスト生成部で生成されたプレイリストを送信するプレイリスト送信部とを備えた再生履歴収集装置と、曲を表す音楽データが格納される音楽データ格納部と、該音楽データ格納部に格納された音楽データに基づく曲を再生する音楽再生部と、上記音楽再生部で再生された曲の属性を表す再生曲情報を送信する再生曲情報送信部と、上記音楽データ格納部に格納されている音楽データにより表される曲の属性を表す格納曲情報が格納される曲情報格納部と、上記曲情報格納部に格納されている格納曲情報を送信する格納曲情報送信部と、上記再生履歴収集装置から送信されてきたプレイリストを受信するプレイリスト受信部と、上記音楽再生部に、上記プレイリスト受信部で受信したプレイリストに従って曲を再生させる曲再生制御部とを備えた音楽再生装置とを具備することを特徴とする。
【００１４】
本発明の第２の音楽再生システムによれば、音楽再生装置に格納されている格納曲情報を再生履歴収集装置に送信し、その再生履歴収集装置で作成されたプレイリストを音楽再生装置で受信し、そのプレイリストに従って曲を再生することができるので、この音楽再生装置におけるプレイリスト作成の処理負荷を軽減させることができ、かつ、この音楽再生装置の所有者を含む同一空間に存在する複数のユーザが、煩わしい操作を行うことなく、好みの共通する曲を再生することのできる音楽再生システムを実現することができる。
【００１５】
ここで、本発明の第２の音楽再生システムが、上記音楽再生装置と上記再生履歴収集装置との間の通信を仲介する携帯端末であって、上記音楽再生装置から上記再生曲情報を受け取って上記再生履歴収集装置に送信する再生曲情報転送部と、上記音楽再生装置から上記格納曲情報を受け取って上記再生履歴収集装置に送信する格納曲情報転送部と、上記再生履歴収集装置に、ユーザを特定したプレイリストの送信要求を行うプレイリスト送信要求部と、上記再生履歴収集装置からプレイリストを受け取って上記音楽再生装置に送信するプレイリスト転送部とを備えた携帯端末をさらに具備するものであってもよい。
【００１６】
本発明の第２の音楽再生システムを上記のように構成した場合は、上記の携帯端末を具備したことによって、音楽再生装置と再生履歴収集装置との間でユーザを特定したプレイリストの送受信を行うことができるので、取り扱いの容易な音楽再生システムとすることができる。
【００１７】
また、上記目的を達成する本発明の第３の音楽再生システムは、曲を表す音楽データが格納される第２の音楽データ格納部と、該第２の音楽データ格納部に格納された音楽データに基づく曲を再生する音楽再生部と、再生された曲の属性を表す再生曲リストが格納される再生曲リスト格納部と、上記音楽再生装置に向けて上記再生曲リスト格納部に格納されている再生曲リストを送信する再生曲リスト送信部とを備えた携帯端末と、曲を表す音楽データが格納される第１の音楽データ格納部と、該第１の音楽データ格納部に格納された音楽データに基づく曲を再生する音楽再生部と、上記第１の音楽データ格納部に格納されている音楽データにより表される曲の属性を表す格納曲情報が格納される曲情報格納部と、上記携帯端末から送信されてきた再生曲リストを受信する再生曲リスト受信部と、上記曲情報格納部に格納されている格納曲情報と上記再生曲リスト受信部で受信した再生曲リストとを比較して、上記音楽データ格納部に音楽データが格納されている曲の中から選択された曲で構成されるプレイリストを作成するプレイリスト作成部と、上記音楽再生部に、上記プレイリスト作成部で作成したプレイリストに従って曲を再生させる曲再生制御部とを備えた音楽再生装置とを具備することを特徴とする。
【００１８】
本発明の第３の音楽再生システムによれば、上記音楽再生装置および上記携帯端末を具備したことによって、携帯端末で再生された曲の属性を表す再生曲リストを音楽再生装置に送信し、音楽再生装置でその再生曲リストに基づいた曲を再生することができるので、この音楽再生装置の所有者および上記携帯端末のユーザが、煩わしい操作を行うことなく、好みの共通する曲を再生することのできる音楽再生システムを実現することができる。
【００１９】
また、上記目的を達成する本発明の第１の音楽再生装置は、曲を表す音楽データが格納される音楽データ格納部と、該音楽データ格納部に格納された音楽データに基づく曲を再生する音楽再生部とを備えた音楽再生装置において、上記音楽データ格納部に格納されている音楽データにより表される曲の属性を表す格納曲情報が格納される曲情報格納部と、過去に再生された曲の属性を表す再生履歴情報を記録している外部の装置から、一または複数の再生履歴情報を、ユーザＩＤと共に受信する再生履歴受信部と、上記曲情報格納部に格納されている格納曲情報と上記再生履歴受信部で受信した再生履歴情報とを比較して、上記音楽データ格納部に音楽データが格納されている曲の中から所定の条件で、曲を選択し、該選択された曲で構成されるプレイリストを作成するプレイリスト作成部と、上記音楽再生部に、上記プレイリスト作成部で作成されたプレイリストに従って曲を再生させる曲再生制御部とを備えたことを特徴とする。
【００２０】
本発明の第１の音楽再生装置によれば、同一空間に存在する複数のユーザの好みの曲の情報として再生履歴情報を外部の機器から受信し、この音楽再生装置に格納されている格納曲情報と受信した再生履歴情報とに基づいて指定の条件で作成されたプレイリストに従って曲を再生することができるので、この音楽再生装置に格納されている曲以外の曲をも、煩わしい操作を行うことなく、再生することのできる音楽再生装置を実現することができる。
【００２１】
また、上記目的を達成する本発明の第２の音楽再生装置は、曲を表す音楽データが格納される音楽データ格納部と、該音楽データ格納部に格納された音楽データに基づく曲を再生する音楽再生部とを備えた音楽再生装置において、上記音楽データ格納部に格納されている音楽データにより表される曲の属性を表す格納曲情報が格納される曲情報格納部と、上記曲情報格納部に格納されている格納曲情報を送信する格納曲情報送信部と、上記格納曲情報を受信してプレイリストを作成する外部の装置から、上記音楽データ格納部に音楽データが格納されている曲の中から選択された曲から構成されるプレイリストを受信するプレイリスト受信部と、上記音楽再生部に、上記プレイリスト受信部で受信されたプレイリストに従って曲を再生させる曲再生制御部とを備えたことを特徴とする。
【００２２】
本発明の第２の音楽再生装置によれば、この音楽再生装置に格納されている格納曲情報を外部の機器に送信し、その外部の機器により所定の条件で作成されたプレイリストをこの音楽再生装置で受信し、音楽再生装置は受信したプレイリストに従って曲を再生するので、この音楽再生装置におけるプレイリスト作成の処理負荷を軽減させることができ、かつ、この音楽再生装置の所有者を含む同一空間に存在する複数のユーザが、煩わしい操作を行うことなく、好みの共通する曲を再生することのできる音楽再生装置を実現することができる。
【００２３】
ここで、本発明の第１の音楽再生装置または本発明の第２の音楽再生装置が、上記音楽再生部で再生された曲の属性を表す再生曲情報を送信する再生曲情報送信部をさらに備えたものであってもよい。
【００２４】
本発明の第１の音楽再生装置または本発明の第２の音楽再生装置を上記のように構成した場合には、音楽再生部で再生された曲の属性を表す再生曲情報が外部の機器に送信され、外部の機器で受信されるので、この音楽再生装置の所有者が他者の音楽再生装置で音楽を楽しもうとしたときにも、その他者の音楽再生装置でも自分の好みの曲を再生することが可能となる。
【００２５】
また、上記目的を達成する本発明の音楽再生方法は、音楽再生装置が音楽を再生する音楽再生方法であって、曲を表す音楽データを予め記憶するステップと、上記記憶されている音楽データにより表される曲の属性を表す曲情報を予め記憶するステップと、過去に再生された曲の属性を表す再生履歴情報を記録している外部の装置から、一または複数の再生履歴情報を、ユーザＩＤと共に受信するステップと、上記曲情報と上記受信した再生履歴情報とを比較して、記憶されている上記音楽データの曲の中から所定の条件で、曲を選択し、該選択された曲で構成されるプレイリストを作成するステップと、上記音楽データに基づいて、上記作成されたプレイリストに従って曲を再生させる曲を再生するステップから構成される。
【００２６】
本発明の音楽再生方法によれば、音楽再生装置に記憶されている曲情報と、外部の装置から受信した再生履歴情報とに基づいて作成されたプレイリストに従って曲を再生することができるので、この音楽再生装置の所有者を含む同一空間に存在する複数のユーザが、煩わしい操作を行うことなく、好みの共通する曲を再生することができる。
【００２７】
また、上記目的を達成する本発明の音楽再生プログラムは、音楽再生装置内で実行される音楽再生プログラムであって、音楽再生装置に、曲を表す音楽データを記憶する手順と、上記記憶されている音楽データにより表される曲の属性を表す曲情報を記憶する手順と、過去に再生された曲の属性を表す再生履歴情報を記録している外部の装置から、一または複数の再生履歴情報を、ユーザＩＤと共に受信する手順と、上記曲情報と上記受信した再生履歴情報とを比較して、記憶されている上記音楽データの曲の中から所定の条件で、曲を選択し、該選択された曲で構成されるプレイリストを作成する手順と、上記音楽データに基づいて、上記作成されたプレイリストに従って曲を再生させる曲を再生する手順とを実行させるための音楽再生プログラムである。
【００２８】
本発明の音楽再生プログラムによれば、音楽再生装置に記憶されている曲情報と、外部の装置から受信した再生履歴情報とに基づいて作成されたプレイリストに従って曲を再生することができるので、この音楽再生装置の所有者を含む同一空間に存在する複数のユーザが、煩わしい操作を行うことなく、好みの共通する曲を再生することのできる音楽再生プログラムを実現することができる。
【発明の効果】
【００２９】
以上説明したように、本発明によれば、同一空間に存在する複数のユーザの好みを反映した曲を再生するにあたって、膨大な音楽データに対する曲の属性を一覧するためのスクロール操作を繰り返す等といった煩わしい操作を行うことなく、同一空間に存在する複数のユーザの好みの共通する曲を自動的に再生することのできる音楽再生装置、音楽再生システム、音楽再生方法及び音楽再生プログラムを実現することができる。
【発明を実施するための最良の形態】
【００３０】
以下図面を参照して本発明の実施の形態を説明する。
【００３１】
図１は、本発明の第１の実施形態の音楽再生システムの構成を示すブロック図である。
【００３２】
なお、この第１の実施形態の音楽再生システム１は、本発明の第１の音楽再生システムの一実施形態に相当するものである。また、この第１の実施形態の音楽再生装置１０は、本発明の第１の音楽再生装置の一実施形態に相当するものである。
【００３３】
この音楽再生システム１は、車両に搭載される車載型の音楽再生装置１０と、その音楽再生装置１０に無線で接続された携帯端末９０と、その携帯端末９０に無線で接続された再生履歴収集装置１１とを具備した構成となっている。具体的には、再生履歴収集装置１１は、ネットワーク上に配備されたサーバとして構成され、携帯端末９０はそのクライアントとして構成されており、音楽再生装置１０と携帯端末９０とはブルートゥース（ＢｌｕｅＴｏｏｔｈ）で接続されている。
【００３４】
音楽再生装置１０は、この音楽再生装置１０を単独で使用し、この音楽再生装置１０に格納された音楽データに基づく曲を再生して音楽を楽しむことができるが、さらに、この音楽再生装置１０に携帯端末９０および再生履歴収集装置１１を接続して音楽再生システム１を構成することによって、この車両の所有者以外の多くのユーザの好みを反映させた曲を再生することが可能となり、この車両の同乗者に一層快適な音楽環境を提供するシステムとすることができる。
【００３５】
図１に示すように、この音楽再生装置１０は、音楽データ格納部１０２と、音楽再生部１０４と、曲情報格納部１０３と、再生曲情報送信部１０５と、再生履歴受信部１０７と、プレイリスト作成部１０８と、狭域通信部１０６と、制御部１０１とを備えている。
【００３６】
音楽データ格納部１０２は、曲を表す音楽データが格納されるものであり、音楽再生部１０４は、音楽データ格納部１０２に格納された音楽データに基づく曲を再生するものであり、曲情報格納部１０３は、音楽データ格納部１０２に格納されている音楽データにより表される曲の属性を表す格納曲情報が格納されるものであり、再生曲情報送信部１０５は、音楽再生部１０４で再生された曲の属性を表す再生曲情報を送信するものであり、再生履歴受信部１０７は、上記再生履歴収集装置１１から送信されてきたユーザＩＤ（ユーザ識別情報）と再生履歴情報を受信するものであり、プレイリスト作成部１１０は、曲情報格納部１０３に格納されている格納曲情報と再生履歴受信部１０７で受信したユーザＩＤと再生履歴情報とを比較して、音楽データ格納部１０２に音楽データが格納されている曲の中から所定の条件で曲を選択し、選択された曲で構成されるプレイリストを作成するものであり、狭域通信部１０６は、携帯端末９０との通信を行うものである。所定の条件とは、全てのユーザが公平に自分の好きな曲が聞けるように、ユーザと曲の再生回数に応じて、プレイリストを作成する条件である。
【００３７】
制御部１０１は、装置全体の動作を制御するものであるが、その制御機能のうちに、音楽再生部１０４に、プレイリスト作成部１１０で作成されたプレイリストに従って曲を再生させる機能を含んでおり、従って、本実施形態における制御部１０１は、本発明にいう曲再生制御部の一例に相当するものである。
【００３８】
再生履歴収集装置１１は、再生曲情報受信部１１４と、再生履歴格納部１１３と、再生履歴送信部１１５と、ユーザ情報格納部１１２と、携帯端末９０との通信を行う広域通信部１１６と、装置全体を制御する制御部１１１とを備えている。
【００３９】
再生曲情報受信部１１４は、各ユーザの過去に再生された曲の属性を表す再生曲情報を受信するものであり、再生履歴格納部１１３は、再生曲情報受信部１１４で受信された再生曲情報をユーザに対応づけて記録することにより各ユーザごとの再生履歴情報を格納するものであり、再生履歴送信部１１５は、ユーザを特定した再生履歴情報の送信要求を受けて上記通信部１０９を経由して該ユーザの再生履歴情報を送信するものである。
【００４０】
携帯端末９０としては、例えば、携帯音楽プレーヤや音楽再生機能を有する携帯電話機やＰＨＳなどを用いることができる。この携帯端末９０は、本実施形態に関係する構成要素として、一または複数のユーザＩＤが格納された個人情報格納部９０２と、音楽再生装置１からの要求に応じて、再生した曲の情報を再生履歴情報として蓄積すべきユーザを選択する再生履歴蓄積ユーザ選択部９０４と、個人情報の中から音楽を聴取する聴取ユーザを選択する聴取ユーザ選択部９０３と、再生履歴収集装置１１との通信を行う広域通信部９０５と、音楽再生装置１との通信を行う狭域通信部９０６と、装置全体の動作を制御するる制御部９０１とを備えている。
【００４１】
本実施形態では、狭域通信部１０６および狭域通信部９０６としてブルートゥース方式の通信装置が用いられている。これらの狭域通信部は、ブルートゥースに限られるものではなく、例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，Ｉｎｃ．）  ８０２．１１ａ／ｂ／ｇ規格に基づくワイヤレスＬＡＮ（Ｌｏｃａｌ  Ａｒｅａ  Ｎｅｔｗｏｒｋ）方式などであってもよい。
【００４２】
また、本実施形態では、広域通信部１１６および広域通信部９０５としてインターネット方式の通信装置が用いられている。
【００４３】
次に、この音楽再生システム１の動作について説明する。
【００４４】
この音楽再生システム１の動作には、再生履歴情報を蓄積する再生履歴蓄積フェーズと、プレイリストを作成するプレイリスト作成フェーズの２つのフェーズがある。まず、再生履歴蓄積フェーズについて説明する。
【００４５】
図２および図３は、第１の実施形態の音楽再生システムにおける再生履歴蓄積処理の一例を示すフローチャートである。
【００４６】
音楽再生システム１０と携帯端末９０とは、ブルートゥースにより接続され一体として動作するようになっている。
【００４７】
音楽再生システム１０および携帯端末９０が、ブルートゥースで互いに接続されたことを検出し（ステップＳ１０１）、さらに、音楽再生装置１０の音楽再生部１０４で音楽が再生された場合に（ステップＳ１０２）、再生されている曲をどのユーザの再生履歴情報として格納するかを特定するために、携帯端末９０の再生履歴蓄積ユーザ選択部９０４に、ユーザを選択して入力するよう要求する（ステップＳ１０３）。
【００４８】
携帯端末９０の個人情報格納部９０２には、個人情報として、再生履歴収集装置１１のネットワーク上のアドレス、ユーザを一意に特定するユーザＩＤが格納されており、再生履歴蓄積ユーザ選択部９０４により選択されたユーザに関連づけられた再生履歴格納部１１３に再生履歴情報として蓄積するように要求する（ステップＳ１０４）。そして、次の曲が再生される毎に再生履歴情報として蓄積するように要求する（ステップＳ１０５）。通常、音楽再生装置１０の所有者と携帯端末９０の所有者は同一であることが多いと考えられるため、再生履歴蓄積ユーザ選択部９０４は、携帯端末９０の所有者を自動的に選択するようにしてもよい。再生履歴収集装置１１に接続する際には、セキュリティ面から、パスワードの入力を要求するようにしてもよい。
【００４９】
再生履歴収集装置１１では、図３に示すように、再生曲情報受信部３０４により再生した曲の情報を受信し（ステップＳ１０６）、ユーザ情報格納部３０２を参照して、該ユーザに対応する再生履歴格納部３０３に、再生した曲の情報を格納する（ステップＳ１０７）。
【００５０】
再生履歴収集装置１１は、音楽再生装置１０に限らず、ネットワークに接続可能で、かつ、音楽再生機能を備えた携帯電話機やＰＣなどから再生した曲の情報を受信するように構成してもよい。
【００５１】
次に、プレイリスト作成フェーズについて説明する。
【００５２】
図４および図５は、第１の実施形態の音楽再生システムにおけるプレイリスト作成処理の一例を示すフローチャートである。
【００５３】
音楽再生装置１０と携帯端末９０は、再生履歴情報蓄積フェーズと同様、ブルートゥース技術等により接続され一体として動作するようになっている。音楽再生装置１０の狭域通信部１０６と携帯端末９０の狭域通信部９０６とが接続されたことを検出した場合（ステップＳ２０１）、携帯端末９０の聴取ユーザ選択部９０３により、個人情報格納部９０２に格納された個人情報の中から、音楽を聴取する聴取ユーザを選択するよう要求する（ステップＳ２０２）。
【００５４】
広域通信部２０５は、選択された聴取ユーザに関連づけられた再生履歴収集装置１１に接続し、該聴取ユーザの、別の音楽再生装置での再生履歴情報を取得するように要求する（ステップＳ２０３）。音楽再生装置１０に接続する携帯端末９０の所有者が同乗者自身であることを想定して、聴取ユーザ選択部９０３は、携帯端末９０の所有者を自動的に選択するようにしてもよい。
【００５５】
再生履歴収集装置１１は、図５に示すように、再生履歴情報の取得要求を受信すると（ステップＳ２０７）、ユーザ情報格納部１１２を参照して、再生履歴格納部１１３から該ユーザの再生履歴情報を取得し、携帯端末９０を経由して音楽再生装置１０へ送信する（ステップＳ２０８）。
【００５６】
音楽再生装置１０は、再生履歴収集装置１１から送られてきた再生履歴情報を再生履歴受信部１０７により受信する（ステップＳ２０４）。プレイリスト作成部１０８は、受信した再生履歴情報と曲情報格納部１０３に格納されている格納曲情報とを比較して、属性が一致する曲から構成されるプレイリストを作成する（ステップＳ２０５）。制御部１０１は、音楽再生部１０４に、プレイリスト作成部１０８で作成されたプレイリストに従って曲を再生させる（ステップＳ２０６）。
【００５７】
次に、第１の実施形態におけるプレイリスト作成の具体例について説明する。
【００５８】
図６は、本発明の第１の実施形態の音楽再生システムにおける再生履歴情報の一例を示す図である。
【００５９】
図６には、再生履歴受信部１０７（図１参照）により受信された再生履歴情報８１の一例が示されている。図示のように、この再生履歴情報８１は、過去に再生された曲の属性を表す再生履歴情報、すなわち、曲名８１ａ、アーティスト８１ｂ、ジャンル８１ｃ等の曲の属性と、その再生回数８１ｄ、最終再生日８１ｅ等の項目からなる。
【００６０】
図７は、本発明の第１の実施形態の音楽再生システムにおける格納曲情報の一例を示す図である。
【００６１】
図７には、曲情報格納部１０３（図１参照）に格納されている曲の属性を表す格納曲情報８２の一例が示されている。図７に示すように、この格納曲情報８２は、曲名８２ａ、アーティスト８２ｂ、ジャンル８２ｃ等の曲の属性と、音楽データ格納部１０２に格納されている音楽データのハードディスク上の格納場所８２ｄ等の項目からなる。
【００６２】
図８は、本発明の第１の実施形態の音楽再生システムにおけるプレイリストの一例を示す図である。
【００６３】
図８には、プレイリスト作成部１０８（図１参照）により作成されたプレイリスト８３が示されている。図８に示すように、このプレイリスト８３は、曲名８３ａ、アーティスト８３ｂ、ジャンル８３ｃ等の項目からなる。
【００６４】
本実施形態では、プレイリスト作成部１０８（図１参照）は、携帯端末９０（図１参照）から再生履歴受信部１０７により受信された再生履歴情報８１（図６参照）と、曲情報格納部１０３に格納されている格納曲情報８２（図７参照）とを比較して、属性が一致する曲から構成されるプレイリスト８３（図８参照）を作成する。
【００６５】
以下に、図６に示す再生履歴情報８１および図７に示す格納曲情報８２からプレイリスト８３が作成される過程について説明する。
【００６６】
先ず、再生履歴情報８１（図６参照）の第１のレコード８１＿１の属性（曲名：“ヤァヤァ”、アーティスト：“ビートルズ”、ジャンル：“ロック（洋）”）と一致する属性のレコードを探すと、格納曲情報８２（図７参照）の中の第２のレコード８２＿２（曲名：“ヤァヤァ”、アーティスト：“ビートルズ”、ジャンル：“ロック（洋）”）が見つかるので、このレコード８２＿２をプレイリスト８３の第１のレコード８３＿１（図８参照）とする。
【００６７】
次に、再生履歴情報８１（図６参照）の第２のレコード８１＿２の属性（曲名：“昨日”、アーティスト：“ビートルズ”、ジャンル：“ロック（洋）”）と一致する属性のレコードを格納曲情報８２（図７参照）の中から探すと、格納曲情報８２の中には上記３つの属性と一致するレコードはないものの、ジャンルが一致するレコード８２＿３（曲名：“ジャック”、アーティスト：“ストーンズ”、ジャンル：“ロック（洋）”）が見つかるので、このレコード８２＿３をプレイリスト８３の第２のレコード８３＿２（図８参照）とする。
【００６８】
次に、再生履歴情報８１（図６参照）の第３のレコード８１＿３の属性（曲名：“アンジ”、アーティスト：“ストーンズ”、ジャンル：“ロック（洋）”）と一致する属性のレコードを格納曲情報８２（図７参照）の中から探すと、格納曲情報８２の中の第４のレコード８２＿４があるので、このレコード８２＿４をプレイリスト８３の第３のレコード８３＿３（図８参照）とする。
【００６９】
次に、再生履歴情報８１（図６参照）の第４のレコード８１＿４の属性（曲名：“ナイマ”、アーティスト：“コルトレーン”、ジャンル：“ジャズ”）と一致する属性のレコードを格納曲情報８２（図７参照）の中から探すと、格納曲情報８２の中には上記３つの属性と一致するレコードはないものの、ジャンルが一致するレコード８２＿５（曲名：“ブルー”、アーティスト：“マイルス”、ジャンル：“ジャズ”）が見つかるので、このレコード８２＿５をプレイリスト８３の第４のレコード８３＿４（図８参照）とする。
【００７０】
このように、プレイリスト８３は、曲名、アーティスト、およびジャンルの３項目の属性が全て、もしくは、いずれか一つの属性が一致する場合に作成される。属性が一致する曲が多数存在する場合には、一致する属性の数が多い曲を優先し、プレイリスト８３の前方に並ぶように構成するようにしてもよい。例えば、曲名、アーティスト、ジャンルの全ての属性が一致する曲、アーティストが一致する曲、ジャンルが一致する曲、ジャンルだけが一致する曲の順に並べるようにしてもよい。一致する属性の数が同じ場合には、再生履歴情報中の再生回数が多い方を、または、最終再生日が新しい方の曲と一致する曲を優先させ、プレイリスト８３の上位に並ぶようにしてもよい。
【００７１】
なお、本実施形態では属性として、曲名、アーティスト、ジャンルの３項目を採用した例を挙げたが、本発明にいう属性は、曲名、アーティスト、ジャンルの３項目に限定されるものではなく、例えばアルバム等の属性を用いてもよい。
【００７２】
音楽再生装置１０の制御部１０１は、音楽再生部１０４に、上記のようにして作成されたプレイリスト８３（図８参照）に従って曲を再生させる。具体的には、例えば、音楽再生装置１０にプレイリストを表示する表示装置と、表示されたプレイリストの中から特定の曲を選択する選択手段とを設けておくことにより、ユーザの好みの音楽を簡単に楽しむことができる。
【００７３】
このように、本実施形態の音楽再生システムでは、音楽再生装置の所有者以外のユーザが他の音楽再生装置で再生した曲の情報をネットワーク上の再生履歴収集装置から取得し、音楽再生装置に格納されている曲を検索して、属性が一致する曲から構成されるプレイリストを作成し、そのプレイリストに従って曲を再生するので、複数のユーザの好みの曲を再生することができる。
【００７４】
このように、第１の音楽再生システム１によれば、音楽再生装置１０に格納されている格納曲情報と、再生履歴収集装置１１から受信した再生履歴情報とに基づいて作成されたプレイリストに従って曲を再生することができるので、この音楽再生装置１０の所有者を含む同一空間に存在する複数のユーザが、煩わしい操作を行うことなく、好みの共通する曲を再生することができる。
【００７５】
次に、本発明の第２の実施形態について説明する。
【００７６】
図９は、本発明の第２の実施形態の音楽再生システムの構成を示すブロック図である。
【００７７】
なお、この第２の実施形態の音楽再生システムは、本発明の第２の音楽再生システムの一実施形態に相当するものである。また、この第２の実施形態の音楽再生装置２０は、本発明の第２の音楽再生装置の一実施形態に相当するものである。
【００７８】
この音楽再生システム２は、車両に搭載される車載型の音楽再生装置２０と、この音楽再生装置２０に無線又は有線で接続された再生履歴収集装置２１と、携帯端末９０とを具備した構成となっている。具体的には、再生履歴収集装置２１は、ネットワーク上に配備されたサーバとして構成され、携帯端末９０はそのクライアントとして構成されており、音楽再生装置２０と携帯端末９０とはブルートゥースで接続されている。
【００７９】
この音楽再生装置２０は、この音楽再生装置２０を単独で使用し、この音楽再生装置２０に格納された音楽データに基づく曲を再生して音楽を楽しむことができるが、さらに、この音楽再生装置２０、携帯端末９０、および再生履歴収集装置２１を組み合わせて音楽再生システム２を構成することによって、この車両の所有者以外の多くのユーザの好みを反映させた曲を再生することが可能となり、この車両の同乗者に一層快適な音楽環境を提供するようにすることができる。
【００８０】
この音楽再生システム２は、第１の実施形態と同様、車載型の音楽再生装置２０、通信機能を備えた携帯端末９０、および再生履歴収集装置２１から構成されているが、この音楽再生システム２では、第１の実施形態の音楽再生システム１では音楽再生装置で行っていたプレイリスト作成を再生履歴収集装置で行うように構成されている。すなわち、音楽再生装置２０は、格納されている格納曲情報を、携帯端末９０を介して再生履歴蓄積装置２１に送信し、再生履歴蓄積装置２１で生成したプレイリストを受信して再生するようになっている。
【００８１】
第２の実施形態の音楽再生システム２が備える各種装置のうち、第１の実施形態と同様のものについては、第１の実施形態と同一符号を付しその説明を省略する。
【００８２】
図９に示すように、この音楽再生装置２０は、第１の実施形態の音楽再生装置１と同様の音楽データ格納部１０２と、音楽再生部１０４と、曲情報格納部１０３と、再生曲情報送信部１０５と、狭域通信部１０６と、制御部１０１の他に、曲情報格納部１０３に格納している格納曲情報を、携帯端末９０を経由して、再生履歴収集装置２１に送信する格納曲情報送信部２０９と、再生履歴収集装置２１で生成されたプレイリストを、携帯端末９０を経由して受信するプレイリスト受信部２０８とを備えている。
【００８３】
上記音楽再生装置２０に接続される再生履歴収集装置２１は、第１の実施形態の再生履歴収集装置１１と同様の再生履歴格納部１１３と、ユーザ情報格納部１１２と、再生曲情報受信部１１４と、広域通信部１１６と、制御部１１１との他に、音楽再生装置２０に格納されている格納曲情報を受信する格納曲情報受信部２１６と、一方の曲を再生したユーザは他方の曲を再生する可能性が高いという嗜好の類似度を表す嗜好類似情報を生成する嗜好類似情報生成部２１０と、嗜好類似情報生成部２１０により生成された嗜好類似情報を格納する嗜好類似情報格納部２１９と、ユーザを特定したプレイリストの送信要求を受けて、再生履歴格納部１１３に格納されている該ユーザの再生履歴情報と嗜好類似情報格納部２１９に格納されている嗜好類似情報とを参照して、格納曲情報受信部２１６で受信した格納曲情報により表される曲の中から選択された該ユーザの嗜好に適合した曲から構成されるプレイリストを生成するプレイリスト生成部２１７と、プレイリスト生成部２１７で生成されたプレイリストを音楽再生装置２０に送信するプレイリスト送信部２１８とを備えている。
【００８４】
本実施形態では、狭域通信部１０６および狭域通信部９０６としてブルートゥース方式の通信装置が用いられている。これらの狭域通信部は、ブルートゥースに限られるものではなく、例えば、ＩＥＥＥ  ８０２．１１ａ／ｂ／ｇ規格に基づくワイヤレスＬＡＮ方式などであってもよい。
【００８５】
また、本実施形態では、広域通信部１１６および広域通信部９０５としてインターネット方式の通信装置が用いられている。
【００８６】
次に、この音楽再生システム２の動作について説明する。
【００８７】
この音楽再生システム２の動作には、再生履歴情報を蓄積する再生履歴蓄積フェーズと、プレイリストを作成するプレイリスト作成フェーズの２つのフェーズがある。再生履歴蓄積フェーズは、第１の実施形態と同様であるので説明を省略し、ここでは、プレイリスト生成フェーズについて説明する。
【００８８】
図１０は、本発明の第２の実施形態の音楽再生システムにおけるプレイリスト生成処理の一例を示すフローチャートである。
【００８９】
音楽再生装置２０と携帯端末９０とは、ブルートゥースにより接続され一体として動作するようになっている。音楽再生装置２０の狭域通信部１０６と携帯端末９０の狭域通信部９０６とがブルートゥースで接続されたことを検出した場合（ステップＳ３０１）、携帯端末９０の聴取ユーザ選択部９０３により、個人情報格納部９０２に格納された個人情報の中から、音楽を聴取する聴取ユーザを選択するよう要求する（ステップＳ３０２）。
【００９０】
選択されたユーザに関連づけられた再生履歴収集装置２１へ携帯端末９０の広域通信部９０５により接続し、音楽再生装置２０に格納されている格納曲情報を送信し、プレイリストを生成するように要求する（ステップＳ３０３）。
【００９１】
音楽再生装置２０に格納されている格納曲情報の送信は、プレイリストを生成する度に毎回行うのではなく、再生履歴収集装置２１に記録する情報に変更があった場合のみ、更新するようにしてもよい。
【００９２】
音楽再生装置２０に格納されている格納曲情報を送信する際には、セキュリティ面から、パスワードの入力を要求するようにしてもよい。
【００９３】
再生履歴収集装置２１は、プレイリストの生成に対する要求を受信すると（ステップＳ３０６）、ユーザ情報格納部１１２を参照して、再生履歴格納部１１３から該ユーザの再生履歴情報を取得する。
【００９４】
プレイリスト生成部２１７は、再生履歴格納部１１３に格納されている該ユーザの再生履歴情報と嗜好類似情報格納部２１９に格納されている嗜好類似情報とを参照して、格納曲情報受信部２１６で受信した格納曲情報により表される曲の中から選択された該ユーザの嗜好に適合した曲から構成されるプレイリストを生成する（ステップＳ３０７）。
【００９５】
生成されたプレイリストは、携帯端末９０を経由して、音楽再生装置２０へ送信される（ステップＳ３０８）。
【００９６】
音楽再生装置２０は、プレイリスト受信部２０８によりプレイリストを受信すると（ステップＳ３０４）、音楽再生部１０４でそのプレイリストに従って曲を再生する（ステップＳ３０５）。
【００９７】
次に、第２の実施形態におけるプレイリスト作成方法について説明する。
【００９８】
第２の実施形態における再生履歴収集装置２１の再生履歴格納部１１３に格納された再生履歴情報および音楽再生装置２０の曲情報格納部１０３に格納されている格納曲情報は、第１の実施形態における再生履歴情報（図６参照）および格納曲情報８２（図７参照）と同様である。
【００９９】
プレイリスト生成部２１７は、格納曲情報受信部２１６で受信した、音楽再生装置２０に格納されている格納曲情報と、再生履歴格納部１１３に格納されている再生履歴情報に含まれる曲を比較して、属性が一致する曲、および、嗜好が類似する曲から構成されるプレイリストを生成する。属性が一致する曲の選択に関しては、第１の実施形態における処理と同様であるので説明を省略する。嗜好が類似する曲の選択は、嗜好類似情報格納部２１９に格納された嗜好類似情報に基づいて行われる。
【０１００】
図１１は、本発明の第２の実施形態の音楽再生システムにおける嗜好類似情報の一例を示す図である。
【０１０１】
図１１に示すように、この嗜好類似情報８４は、アーティスト８４ａ、類似アーティスト８４ｂ、および嗜好の類似度８４ｃ等の項目からなる。
【０１０２】
ここで、類似アーティスト８４ｂおよび嗜好の類似度８４ｃとは、一方の曲を再生したユーザは他方の曲を再生する可能性が高いという調査結果に基づき、再生履歴情報を統計処理することによって求めることができる。例えば、本実施形態では、再生履歴蓄積装置２１の再生履歴格納部１１３（図９参照）に格納されたユーザごとの再生履歴情報を基に、あるアーティストとそのアーティストに類似するアーティストとの相関分析を行うことにより嗜好の類似度が算出されている。
【０１０３】
図１２は、本発明の第２の実施形態の音楽再生システムにおけるプレイリストの一例を示す図である。
【０１０４】
図１２には、プレイリスト生成部２１７（図９参照）により作成されたプレイリストの一例が示されている。このプレイリスト８５は、曲名８５ａ、アーティスト８５ｂ、ジャンル８５ｃ等の項目からなる。
【０１０５】
以下に、図６に示す再生履歴情報８１、図７に示す格納曲情報８２、および図１１に示す嗜好類似情報８４からプレイリスト８５が作成される過程について説明する。
【０１０６】
先ず、再生履歴情報８１（図６参照）と格納曲情報８２（図７参照）とから、第１の実施形態におけるレコード８３＿１（曲名：“ヤァヤァ”）〜レコード８３＿４（曲名：“ブルー”）と同様の４つのレコード８５＿１（曲名：“ヤァヤァ”）〜レコード８５＿４（曲名：“ブルー”）が作成される（図１２参照）。
【０１０７】
次に、再生履歴情報８１と嗜好類似情報８４とを参照して、格納曲情報８２により表される曲の中から選択された当該ユーザの嗜好に適合した曲から構成されるプレイリストが生成される。すなわち、再生履歴情報８１（図６参照）にはアーティストが“ビートルズ”である曲が２曲あるので、嗜好類似情報８４（図１１参照）の中から“ビートルズ”の類似アーティストを調べると、“ストーンズ”のほかに“カーペンターズ”、“歌田  光”、“エルトン”の３アーティストが見つかる。そこで、これら３アーティストを格納曲情報８２（図７参照）の中から探すと“カーペンターズ”は見つからないが、“歌田  光”については、レコード８２＿７（曲名：“初恋”）があり、“エルトン”については、レコード８２＿６（曲名：“君の歌”）がある。そこで、プレイリスト８５（図１２参照）に、レコード８５＿５（曲名：“初恋”）およびレコード８５＿６（曲名：“君の歌”）を追加する。
【０１０８】
また、嗜好類似情報８４（図１１参照）の中から“ストーンズ”の類似アーティストを調べると、“サザン”（レコード８４＿７）が見つかる。そこで、“サザン”を格納曲情報８２（図７参照）の中から探すとレコード８２＿１が見つかるので、プレイリスト８５に、レコード８５＿７（曲名：“エリー”）を追加する。
【０１０９】
このようにして、プレイリスト８５（図１２参照）が生成される。
【０１１０】
このプレイリスト８５は、アーティストの嗜好の類似度に応じて、プレイリストの順番を並べ替えるようにしてもよい。例えば、類似度が高いアーティストを優先し、プレイリストの上位に並ぶようにしてもよい。
【０１１１】
嗜好類似情報格納部２１９に記録する嗜好類似情報は、嗜好類似情報生成部２１０によって生成される。嗜好類似情報生成部２１０における嗜好類似情報の生成には、協調フィルタリング技術を利用することが考えられる。例えば、再生履歴格納部１１３を参照して、あるアーティストが同時に出現する再生履歴情報の割合が高ければ嗜好が類似する傾向が強く、そうでなければ、嗜好が類似する傾向が弱いと判断して、アーティストの嗜好の類似度を統計的に算出する方法を採用することができる。
【０１１２】
このように第２の実施形態の音楽再生システムでは、音楽再生装置２０に格納されている格納曲情報と同乗者の再生履歴情報に含まれる曲を比較して、属性が一致する曲だけでなく、嗜好が類似する曲からも構成されるプレイリストを生成する。これによって、音楽再生装置２０に格納されている格納曲情報と同乗者の再生履歴情報の間に、属性が一致する曲が殆ど存在しない場合でも、プレイリストを生成することが可能である。
【０１１３】
また、サーバ上でプレイリストを生成することにより、嗜好が類似する属性の情報を最新の状態に維持することが容易であり、新しいアーティスト等に対する嗜好の類似度への対応が可能である。
【０１１４】
このように、音楽再生システム２によれば、音楽再生装置２０に格納されている格納曲情報を再生履歴収集装置２１に送信し、再生履歴収集装置２１で作成されたプレイリストを音楽再生装置２０で受信し、そのプレイリストに従って曲を再生することができるので、音楽再生装置２０におけるプレイリスト作成時の処理負荷を軽減させることができ、かつ、音楽再生装置２０の所有者を含む同一空間に存在する複数のユーザが、煩わしい操作を行うことなく、好みの共通する曲を再生することのできる音楽再生システムが得られる。
【０１１５】
次に、本発明の第３の実施形態について説明する。
【０１１６】
図１３は、本発明の第３の実施形態の音楽再生システムの構成を示すブロック図である。
【０１１７】
なお、この第３の実施形態の音楽再生システムは、本発明の第３の音楽再生システムの一実施形態に相当するものである。
【０１１８】
この音楽再生システム３は、車両に搭載される車載型の音楽再生装置３０と、この音楽再生装置３０に無線又は有線で接続された携帯端末９１とを具備した構成となっている。
【０１１９】
携帯端末９１は、有線または無線の通信手段で音楽再生装置３０と接続されている。
【０１２０】
この音楽再生装置３０は、この音楽再生装置３０を単独で使用した場合には、この音楽再生装置３０に格納された音楽データに基づく曲を再生して音楽を楽しむことができるが、さらに、この音楽再生装置３０に携帯端末９１を接続して音楽再生システム３を構成することによって、この車両の所有者を含む複数のユーザの好みを反映させた曲を再生することが可能となり、この車両の同乗者に一層快適な音楽環境を提供するようにすることができる。
【０１２１】
この音楽再生システム３は、車載型の音楽再生装置３０、および、通信機能を備えた携帯端末９１から構成されているが、この音楽再生システム３では、音楽再生装置３０により、音楽再生装置３０内に格納されている音楽データに基づく曲を再生することができ、また、携帯端末９１によっても、装置内に格納されている音楽データに基づく曲を再生することができる。さらに、携帯端末９１における再生曲のリストを音楽再生装置３０に送信し、音楽再生装置３０は、携帯端末９１から送られてきた再生曲リストに基づき音楽を再生することができるようにもなっている。
【０１２２】
第３の実施形態の音楽再生システム３が備える各種装置のうち、第１の実施形態と同様のものについては、第１の実施形態と同一符号を付しその説明を省略する。
【０１２３】
図１３に示すように、この音楽再生装置３０は、第１の実施形態の音楽再生装置１と同様の音楽データ格納部１０２と、音楽再生部１０４と、曲情報格納部１０３と、狭域通信部１０６と、制御部１０１の他に、携帯端末９１から送信されてきた再生曲リストを受信する再生曲リスト受信部３０５と、曲情報格納部１０３に格納されている格納曲情報と再生曲リスト受信部３０５で受信した再生曲リストとを比較して属性が一致する曲から構成されるプレイリストを作成するプレイリスト作成部３０８とを備えている。
【０１２４】
携帯端末９１としては、例えば、携帯音楽プレーヤや音楽再生機能を有する携帯電話機やＰＨＳなどを用いることができる。この携帯端末９１は、本実施形態に関係する構成要素として、曲を表す音楽データが格納される音楽データ格納部９１２と、音楽データ格納部９１２に格納された音楽データに基づく曲を再生する音楽再生部９１４と、再生された曲の属性を表す再生曲リストが格納される再生曲リスト格納部９１３と、音楽再生装置３０に向けて上記再生曲リスト格納部９１３に格納されている再生曲リストを送信する再生曲リスト送信部９１５と、音楽再生装置３０との通信を行う狭域通信部９０６と、装置全体の動作を制御する制御部９１１とを備えている。
【０１２５】
本実施形態では、狭域通信部１０６および狭域通信部９０６としてブルートゥース方式の通信装置が用いられている。これらの狭域通信部は、ブルートゥースに限られるものではなく、例えば、ＩＥＥＥ  ８０２．１１ａ／ｂ／ｇ規格に基づくワイヤレスＬＡＮ方式などであってもよい。
【０１２６】
次に、この音楽再生システム３の動作について説明する。
【０１２７】
この音楽再生システム３の動作には、再生曲リストを作成し音楽再生装置に送信する再生曲リスト送信フェーズと、携帯端末から送られてきた再生曲リストに基づきプレイリストを作成するプレイリスト作成フェーズの２つのフェーズがある。
【０１２８】
図１４は、第３の実施形態の音楽再生システムにおける再生曲リスト送信処理とプレイリスト作成処理の一例を示すフローチャートである。
【０１２９】
音楽再生装置３０と携帯端末９１とは、ブルートゥースにより接続され一体として動作するようになっている。また、携帯端末９１は単独で音楽を再生することができるようになっており、再生された曲の属性を表す再生曲リストが再生曲リスト格納部９１３に格納されるようになっている。
【０１３０】
音楽再生装置３０および携帯端末９１が、ブルートゥースで互いに接続された状態で、携帯端末９１が音楽再生装置３０からの再生曲リスト送信要求を受けると（ステップＳ４０１）、携帯端末９１は再生曲リスト格納部９１３（図１３参照）に格納されている再生曲リストを音楽再生装置３０に送信する（ステップＳ４０２）。
【０１３１】
音楽再生装置３０は、再生曲リスト受信部３０５により携帯端末９１から送信されてきた再生曲リストを受信し（ステップＳ４０３）、プレイリスト作成部３０８（図１３参照）は、曲情報格納部１０３に格納されている格納曲情報と再生曲リスト受信部３０５で受信した再生曲リストとを比較して属性が一致する曲から構成されるプレイリストを作成する（ステップＳ４０４）。
【０１３２】
制御部１０１は、音楽再生部１０４に、プレイリスト作成部３０８で作成したプレイリストに従って曲を再生させる。
【０１３３】
プレイリストの作成方法については、図６〜図８を参照して説明した、第１の音楽再生システムにおけるプレイリスト作成方法と基本的に同様であるので説明は省略する。
【０１３４】
このように、音楽再生システム３によれば、音楽再生装置３０と携帯端末９１とを具備したことによって、携帯端末９１で再生された曲の属性を表す再生曲リストを音楽再生装置３０に送信し、音楽再生装置３０でその再生曲リストに基づいた曲を再生することができるので、音楽再生装置３０の所有者および携帯端末９１のユーザは、煩わしい操作を行うことなく、好みの共通する曲を再生することができる。
【０１３５】
なお、上記各実施形態では、音楽再生装置１０，２０，３０が車載型の音楽再生装置である例について説明したが、本発明にいう音楽再生装置は、車載型の音楽再生装置に限られるものではなく、据え置き型の音楽再生装置あるいは携帯型の音楽再生装置であってもよい。
【０１３６】
また、本発明の音楽再生システムは上記各実施形態に限定されるものではなく、再生履歴収集装置１１、２１を音楽再生装置１０，２０と同じ場所に配備し、音楽再生装置１０，２０と有線で接続した構成としてもよい。
【図面の簡単な説明】
【０１３７】
【図１】本発明の第１の実施形態の音楽再生システムの構成を示すブロック図である。
【図２】第１の実施形態の音楽再生システムにおける再生履歴蓄積処理の一例を示すフローチャートである。
【図３】第１の実施形態の音楽再生システムにおける再生履歴蓄積処理の一例を示すフローチャートである。
【図４】第１の実施形態の音楽再生システムにおけるプレイリスト作成処理の一例を示すフローチャートである。
【図５】第１の実施形態の音楽再生システムにおけるプレイリスト作成処理の一例を示すフローチャートである。
【図６】本発明の第１の実施形態の音楽再生システムにおける再生履歴情報の一例を示す図である。
【図７】本発明の第１の実施形態の音楽再生システムにおける格納曲情報の一例を示す図である。
【図８】本発明の第１の実施形態の音楽再生システムにおけるプレイリストの一例を示す図である。
【図９】本発明の第２の実施形態の音楽再生システムの構成を示すブロック図である。
【図１０】本発明の第２の実施形態の音楽再生システムにおけるプレイリスト生成処理の一例を示すフローチャートである。
【図１１】本発明の第２の実施形態の音楽再生システムにおける嗜好類似情報の一例を示す図である。
【図１２】本発明の第２の実施形態の音楽再生システムにおけるプレイリストの一例を示す図である。
【図１３】本発明の第３の実施形態の音楽再生システムの構成を示すブロック図である。
【図１４】第３の実施形態の音楽再生システムにおける再生曲リスト送信処理とプレイリスト作成処理の一例を示すフローチャートである。
【符号の説明】
【０１３８】
１，２，３    音楽再生システム
１０，２０，３０    音楽再生装置
１１，２１    再生履歴収集装置
８１    再生履歴情報
８１ａ    曲名
８１ｂ    アーティスト
８１ｃ    ジャンル
８１ｄ    再生回数
８１ｅ    最終再生日
８２    格納曲情報
８２ａ    曲名
８２ｂ    アーティスト
８２ｃ    ジャンル
８２ｄ    格納場所
８３    プレイリスト
８３ａ    曲名
８３ｂ    アーティスト
８３ｃ    ジャンル
８４    嗜好類似情報
８４ａ    アーティスト
８４ｂ    類似アーティスト
８４ｃ    類似度
８５    プレイリスト
８５ａ    曲名
８５ｂ    アーティスト
８５ｃ    ジャンル
９０，９１    携帯端末
１０１    制御部
１０２    音楽データ格納部
１０３    曲情報格納部
１０４    音楽再生部
１０５    再生曲情報送信部
１０６    狭域通信部
１０７    再生履歴受信部
１０８    プレイリスト作成部
１１１    制御部
１１２    ユーザ情報格納部
１１３    再生履歴格納部
１１４    再生曲情報受信部
１１５    再生履歴送信部
１１６    広域通信部
２０８    プレイリスト受信部
２０９    格納曲情報送信部
２１０    嗜好類似情報生成部
２１６    格納曲情報受信部
２１７    プレイリスト生成部
２１８    プレイリスト送信部
３０５    再生曲リスト受信部
３０８    プレイリスト作成部
９０１    制御部
９０２    個人情報格納部
９０３    聴取ユーザ選択部
９０４    再生履歴蓄積ユーザ選択部
９０５    広域通信部
９０６    狭域通信部
９１２    音楽データ格納部
９１３    再生曲リスト格納部
９１４    音楽再生部
９１５    再生曲リスト送信部
【図１】
2008304774.tif 000003
【図２】
2008304774.tif 000004
【図３】
2008304774.tif 000005
【図４】
2008304774.tif 000006
【図５】
2008304774.tif 000007
【図６】
2008304774.tif 000008
【図７】
2008304774.tif 000009
【図８】
2008304774.tif 000010
【図９】
2008304774.tif 000011
【図１０】
2008304774.tif 000012
【図１１】
2008304774.tif 000013
【図１２】
2008304774.tif 000014
【図１３】
2008304774.tif 000015
【図１４】
2008304774.tif 000016